(57)【要約】【課題】含水汚染物の処理装置における分解無害化処理装置で処理する処理対象物の減容化を可能にし、以て分解無害化処理装置を小型化することができること。【解決手段】含水汚染物を加熱された乾燥用空気と接触させて乾燥させる乾燥処理部と、該乾燥処理部を通過した乾燥用空気が流入するサイクロンと、該サイクロンを通過した乾燥用空気が流入するバグフィルタと、前記サイクロンで回収されたサイクロン回収物を大小の粒径に分級する分級処理部と、前記分級処理部で分級された大きい粒径のサイクロン回収物を水洗する水洗処理部とを備え、前記分級処理部で分級された小さい粒径のサイクロン回収物と前記バグフィルタで回収されたバグフィルタ回収物を分解無害化処理部に送り、前記水洗処理部を出た洗浄水は前記乾燥処理部の上流に戻すように構成されている。【選択図】図１
2006281078.tif 000002
【特許請求の範囲】
【請求項１】
含水汚染物を乾燥用加熱空気と接触させて乾燥させる乾燥処理部と、
該乾燥処理部を通過した乾燥用空気が流入するサイクロンと、
該サイクロンを通過した乾燥用空気が流入するバグフィルタと、
前記サイクロンで回収されたサイクロン回収物を大小の粒径に分級する分級処理部と、
前記分級処理部で分級された大きい粒径のサイクロン回収物を水洗する水洗処理部と、を備え、
前記分級処理部で分級された小さい粒径のサイクロン回収物と前記バグフィルタで回収されたバグフィルタ回収物を分解無害化処理部に送り、前記水洗処理部を出た洗浄水は前記乾燥処理部の上流に戻すように構成されていることを特徴とする含水汚染物の処理装置。
【請求項２】
請求項１において、前記含水汚染物は底質であることを特徴とする含水汚染物の処理装置。
【請求項３】
請求項１又は２において、含水汚染物を粉砕する粉砕処理部を備え、該粉砕処理部は前記乾燥処理部に一体的に設けられて含水汚染物を乾燥すると同時に粉砕処理を行えるように構成されている、又は乾燥処理部の下流に粉砕処理部が設けられていることを特徴とする含水汚染物の処理装置。
【請求項４】
含水汚染物を乾燥用加熱空気と接触させて乾燥させる乾燥処理工程と、
該乾燥処理部を通過した乾燥用空気をサイクロンに流入させて処理する工程と、
該サイクロンを通過した乾燥用空気をバグフィルタに流入させて処理する工程と、
前記サイクロンで回収されたサイクロン回収物を大小の粒径に分級する分級工程と、
前記分級工程で分級された大きい粒径のサイクロン回収物を水洗する水洗工程と、を備え、
前記分級工程で分級された小さい粒径のサイクロン回収物と前記バグフィルタで回収されたバグフィルタ回収物を分解無害化処理部に送り、前記水洗処理部を出た洗浄水は前記乾燥処理部の上流に戻すことを特徴とする含水汚染物の処理方法。
【発明の詳細な説明】
【技術分野】
【０００１】
本発明は、汚染された土壌、詳しくはダイオキシン類や重金属類などの汚染物質により汚染された含水汚染物の処理装置および方法に関するものである。  
ここで、含水汚染物とは、工場跡地等の陸上から採集された土壌（含水率は通常３０〜５０％）と、河川や湖沼さらに港湾等の水底に出来るヘドロ（含水率８０％以上）のような底質も含む意味で用いられる。
【背景技術】
【０００２】
この種の含水汚染物の処理装置の従来技術文献として特開２００４−２７５９７３号公報（特許文献１）が挙げられる。この文献には、汚染された含水土壌を気流乾燥粉砕機で加熱された乾燥用空気と接触させて乾燥し且つ粉砕し、排出される乾燥用空気をサイクロンに送り、サイクロン回収物を除き、その下流に設けられたバグフィルタに送り、バグフィルタ回収物を除き、更に下流に設けられている排ガス処理装置に送り、ここで、ダイオキシン類や塩化水素、更に低沸点重金属類等を除去する無害化処理を施して大気に放出する構成の含水汚染物の処理装置が記載されている。
【０００３】
また、前記サイクロン回収物とバグフィルタ回収物は、そのまま混合されて分解無害化処理装置（外熱式ロータリーキルン）に送られ、４５０〜５００℃に加熱されて分解反応が起こり、ダイオキシン類の無害化処理が行われるようになっている。
【０００４】
【特許文献１】特開２００４−２７５９７３号公報
【発明の開示】
【発明が解決しようとする課題】
【０００５】
上記従来の含水汚染物の処理装置は、サイクロン回収物とバグフィルタ回収物を、そのまま混合して全量を分解無害化処理装置（外熱式ロータリーキルン）に送るため、該分解無害化処理装置で処理する処理対象物の量が多く、減容化が充分ではなく、分解無害化処理装置が大型化するという問題があった。
【０００６】
本発明の目的は、分解無害化処理装置で処理する処理対象物の減容化を可能にし、以て分解無害化処理装置を小型化することができる含水汚染物の処理装置および方法を提供することにある。
【課題を解決するための手段】
【０００７】
上記目的を達成するため、本発明の第１の態様に係る含水汚染物の処理装置は、含水汚染物を加熱された乾燥用空気と接触させて乾燥させる乾燥処理部と、該乾燥処理部を通過した乾燥用空気が流入するサイクロンと、該サイクロンを通過した乾燥用空気が流入するバグフィルタと、前記サイクロンで回収されたサイクロン回収物を大小の粒径に分級する分級処理部と、前記分級処理部で分級された大きい粒径のサイクロン回収物を水洗する水洗処理部とを備え、前記分級処理部で分級された小さい粒径のサイクロン回収物と前記バグフィルタで回収されたバグフィルタ回収物を分解無害化処理部に送り、前記水洗処理部を出た洗浄水は前記乾燥処理部の上流に戻すように構成されていることを特徴とするものである。
【０００８】
本発明によれば、選択的に粒径の大きいものをサイクロンで回収し、このサイクロン回収物をさらに分級処理部で大小の粒径に分級し、分級された小さい粒径のサイクロン回収物だけを前記バグフィルタ回収物と一緒に分解無害化処理部に送るので、分解無害化処理装置で処理する処理対象物が減容化され、分解無害化処理装置を小型化することが可能となる。
【０００９】
前記分級処理部で分級された大きい粒径のサイクロン回収物は、水洗処理部で水洗される。大きい粒径のサイクロン回収物はこの水洗により簡単に無害化できる。その理由は、この大きい粒径のサイクロン回収物は殆どが砂であり、この砂はその表面性状からダイオキシン類を殆ど吸着せず、その表面に僅かに付着している程度だからである。従って、上記水洗により簡単に無害化できるので、水洗後の回収物（殆ど砂）は、そのまま埋め立て処分等に付すことが可能である。  
また、前記水洗処理部を出た洗浄水はダイオキシン類を含むが、それは前記乾燥処理部の上流に戻されてクローズド処理され、直接外部には放出されないので、適切に無害化処理されることになる。
【００１０】
本発明の第２の態様に係る含水汚染物の処理装置は、第１の態様において、前記含水汚染物は底質であることを特徴とするものである。  
底質は、小粒径のシルトや粘土分、更にはコロイド分を含み、特に、粒径が細かくなるに従ってダイオキシン類濃度が高くなり、粒径が大きくなるダイオキシン濃度が低くなる傾向がある。従って、本発明を適用する効果は大である。
【００１１】
本発明の第３の態様に係る含水汚染物の処理装置は、第１又は第２の態様において、含水汚染物を粉砕する粉砕処理部を備え、該粉砕処理部は前記乾燥処理部に一体的に設けられて含水汚染物を乾燥すると同時に粉砕処理を行えるように構成されている、又は乾燥処理部の下流に粉砕処理部が設けられていることを特徴とするものである。
【００１２】
本発明によれば、粉砕処理部を備えているので、サイクロンで回収されたサイクロン回収物を大小の粒径に分級する分級処理部の分級効率が向上し、もって減容化を高めることができる。
【００１３】
本発明の第４の態様に係る含水汚染物の処理方法は、含水汚染物を乾燥用加熱空気と接触させて乾燥させる乾燥処理工程と、該乾燥処理部を通過した乾燥用空気をサイクロンに流入させて処理する工程と、該サイクロンを通過した乾燥用空気をバグフィルタに流入させて処理する工程と、前記サイクロンで回収されたサイクロン回収物を大小の粒径に分級する分級工程と、前記分級工程で分級された大きい粒径のサイクロン回収物を水洗する水洗工程と、を備え、前記分級工程で分級された小さい粒径のサイクロン回収物と前記バグフィルタで回収されたバグフィルタ回収物を分解無害化処理部に送り、前記水洗処理部を出た洗浄水は前記乾燥処理部の上流に戻すことを特徴とするものである。本発明によれば、第１の態様と同様の作用効果が得られる。
【発明の効果】
【００１４】
本発明によれば、含水汚染物の処理装置又は方法における分解無害化処理装置で処理する処理対象物の減容化を可能にし、以て分解無害化処理装置を小型化することができる。
【発明を実施するための最良の形態】
【００１５】
以下、本発明の実施の形態を図面に基づいて詳細に説明する。図１は本発明に係る含水汚染物の処理装置の実施の形態を示す構成図である。本実施の形態に係る含水汚染物の処理装置は、含水汚染物を２００℃〜４００℃に加熱された乾燥用空気と接触させて乾燥させる乾燥処理部１と、該乾燥処理部１を通過した乾燥用空気が流入するサイクロン３と、該サイクロン３を通過した乾燥用空気が流入するバグフィルタ５とを備えている。
【００１６】
含水汚染物には、工場跡地等の陸上から採集された土壌（含水率は通常３０〜５０％）の他に、河川や湖沼さらに港湾等の水底に出来るヘドロ（含水率８０％以上）のような底質も含む。この実施の形態では処理対象物は底質である。この底質は分離装置７により乾燥不適物５０が除かれて乾燥処理部１に送られる。乾燥不適物とは、瓦礫、砂利、古木、木の根等の粒径が７０ｍｍ以上の夾雑物のことである。
【００１７】
前記乾燥用空気は、灯油を用いた公知の熱風発生炉９で作られる。前記乾燥処理部１は、その内部に熱風発生炉９から前記乾燥用空気が送りこまれ、底質と直接接触して乾燥するようになっている。乾燥処理部１は本実施の形態では粉砕処理部を一体的に備え、底質を乾燥と同時に粉砕できるようになっている。これにより、サイクロン３で回収されたサイクロン回収物１１を大小の粒径のものに分級する分級処理部１３の分級効率が向上するようになっている。なお、乾燥処理部１の下流に粉砕処理部が別体に設けられる構造であってもよい。
【００１８】
本実施の形態に係る含水汚染物の処理装置は、前記サイクロン３で回収されたサイクロン回収物１１を大小の粒径に分級する分級処理部１３と、前記分級処理部１３で分級された大きい粒径のサイクロン回収物１１ｂを水洗する水洗処理部１５とを備えている。分級処理部１３は、本実施の形態では、口径１ｍｍのふるいにて形成され、１ｍｍの粒径を境にして大小に分級されるようになっている。そして、１ｍｍより大きい粒径のサイクロン回収物１１ｂが水洗処理部１５で水洗される。水洗処理部１５を出た洗浄水は前記乾燥処理部１の上流に戻すように構成されている。
【００１９】
前記分級処理部１３で分級された１ｍｍ以下の小さい粒径のサイクロン回収物１１ｓは、前記バグフィルタ５で回収されたバグフィルタ回収物１７と一緒に分解無害化処理部１９に送られる。分解無害化処理部１９はサイクロン回収物１１ｓとバグフィルタ回収物１７を酸化又は還元雰囲気で３５０℃〜７００℃まで加熱できる外熱式ロータリーキルン等、ダイオキシン類を分解することが出来る公知のものである。
【００２０】
尚、前記乾燥処理部１の回収物２１は、本実施の形態では、分級機２３により大小の粒径のものに分級され、小粒径の回収物２１ａは、前記バグフィルタ回収物１７と一緒に無害化処理部１９に送られるようになっている。大粒径の回収物２１ｂは、具体的には小さな瓦礫類であり、通常は無害化処理の対象から外すことが可能である。また、バグフィルタ５を通過した乾燥用空気は、誘引送風機２９を介して公知の排ガス処理装置３１に送り、ここで、ダイオキシン類や塩化水素、更に低沸点重金属類等を除去する無害化処理を施して大気に放出するように構成されている。
【００２１】
次に上記実際の形態の作用を説明する。含水汚染物を２００℃〜４００℃に加熱された乾燥用加熱空気と接触させて乾燥させ、乾燥処理部１を通過した乾燥用空気をサイクロン３に流入させて処理し、該サイクロン３を通過した乾燥用空気をバグフィルタ５に流入させて処理し、前記サイクロン３で回収されたサイクロン回収物１１を大小の粒径に分級し、分級された大きい粒径のサイクロン回収物１１ｂを水洗し、小さい粒径のサイクロン回収物１１ｓと前記バグフィルタ回収物１７を分解無害化処理部１９に送って無害化処理し、前記水洗処理部１５を出た洗浄水は前記乾燥処理部１の上流に戻す。
【００２２】
従って、サイクロン回収物１１を分級処理部１３で大小の粒径に分級し、分級された小さい粒径のサイクロン回収物１１ａだけを前記バグフィルタ回収物１７と一緒に分解無害化処理部１９に送るので、分解無害化処理部１９で処理する処理対象物が減容化され、分解無害化処理部を一層小型化することが可能となる。
【産業上の利用可能性】
【００２３】
本発明は、汚染された土壌、詳しくはダイオキシン類や重金属類などの汚染物質により汚染された含水汚染物の処理装置および方法に利用可能である。
【図面の簡単な説明】
【００２４】
【図１】発明に係る含水汚染物の処理装置の実施例を示す構成図である。
【符号の説明】
【００２５】
１  乾燥処理部
３  サイクロン
５  バグフィルタ
９  熱風発生炉
１１  サイクロン回収物
１１ｂ  大きい粒径のサイクロン回収物
１１ｓ  小さい粒径のサイクロン回収物
１３  分級処理部
１５  水洗処理部
１７  バグフィルタ回収物
１９  無害化処理部
【図１】
2006281078.tif 000003